(57)【要約】【課題】製造費用の低減及び構造の簡素化を実現した浴室乾燥機を得ること。【解決手段】浴室乾燥機１０は、浴室から空気を取り込む送風機１と、浴室から取り込んだ空気を加熱する電気ヒータ２と、送風機１から電気ヒータ２に至る風路６ａ及び空気を屋外へ排出するための排気口３が設けられたケース６と、回転軸を鉛直方向に向けてケース内に回動可能に設置されたダンパー４とを備え、電気ヒータ２で加熱した温風を浴室に送風する暖房運転と、浴室から取り込んだ空気を排気口３から屋外に排出する換気運転と、浴室への温風の送風及び浴室から取り込んだ空気の屋外への排出を同時に行う乾燥運転とをダンパー４の回動によって切り替える。【選択図】図１
2017116168.tif 000002
【特許請求の範囲】
【請求項１】
浴室から空気を取り込む送風機と、
前記浴室から取り込んだ空気を加熱するヒータと、
前記送風機から前記ヒータに至る風路及び空気を屋外へ排出するための排気口が設けられたケースと、
回転軸を鉛直方向に向けて前記ケース内に回動可能に設置されたダンパーとを備え、
前記ヒータで加熱した温風を前記浴室に送風する暖房運転と、前記浴室から取り込んだ空気を前記排気口から屋外に排出する換気運転と、前記浴室への前記温風の送風及び前記浴室から取り込んだ空気の屋外への排出を同時に行う乾燥運転とを前記ダンパーの回動によって切り替えることを特徴とする浴室乾燥機。
【請求項２】
前記ダンパーは、前記回転軸と平行で開口が設けられた第１の平面部、前記回転軸と平行かつ前記第１の平面部と非平行な第２の平面部、及び前記第１の平面部と前記第２の平面部とを接続する曲面部を備えた送風案内板と、該送風案内板と前記回転軸とを接続する接続部材とを有し、
前記暖房運転では、前記第２の平面部が前記排気口を覆って、前記送風機から吹き出された空気を前記ヒータに導き、
前記換気運転では、前記開口が前記排気口と重なって前記送風機から吹き出された空気が前記排気口を通過し、
前記乾燥運転では、前記送風案内板は、前記開口の一部分が前記排気口と重なって前記曲面部が前記排気口を部分的に覆い、前記送風機から吹き出された空気の一部を前記ヒータに導き、前記送風機から吹き出された空気の残りの一部を前記排気口に導くことを特徴とする請求項１に記載の浴室乾燥機。
【請求項３】
前記開口は、前記排気口と同等の大きさであることを特徴とする請求項２に記載の浴室乾燥機。
【請求項４】
前記送風案内板は、前記暖房運転では、前記第１の平面部、前記曲面部及び前記第２の平面部の表面に沿って、前記送風機から吹き出された空気を前記ヒータに案内することを特徴とする請求項２又は３に記載の浴室乾燥機。
【発明の詳細な説明】
【技術分野】
【０００１】
本発明は、浴室に温風を送風する暖房運転と、浴室の空気を屋外に排出する換気運転と、浴室への温風の送風及び室内空気の排出を同時に行う乾燥運転を持ちダンパーによって風路を切り替える浴室乾燥機に関する。
【背景技術】
【０００２】
従来、浴室乾燥機においては、単独の送風機に対して暖房運転、換気運転及び乾燥運転の三つの運転機能を持つため、各運転に対応する風路を切り替えるためのダンパーが必要であった。
【０００３】
特許文献１に開示される発明は、浴室乾燥機に回転軸が天井面と平行になるようにダンパーを搭載し、ダンパーを上下に動かすことで各運転に対応する風路を切り替えている。
【先行技術文献】
【特許文献】
【０００４】
【特許文献１】特開２００５−３４５０６８号公報
【発明の概要】
【発明が解決しようとする課題】
【０００５】
特許文献１に開示される発明は、ダンパーを上下に動かすため、送風による風圧の他にダンパーの自重による負荷分の駆動トルク及び保持トルクをアクチュエータで確保する必要がある。具体的に言えば、アクチュエータをステッピングモーターとする場合、定格トルクが大きい高価なモーターを用いたり、トルク増大のためにギアのような別部品を用いたりする必要があり、浴室乾燥機の製造費用の増加及び構造の複雑化が問題となる。
【０００６】
本発明は、上記に鑑みてなされたものであって、製造費用の低減及び構造の簡素化を実現した浴室乾燥機を得ることを目的とする。
【課題を解決するための手段】
【０００７】
上述した課題を解決し、目的を達成するために、本発明は、浴室から空気を取り込む送風機と、浴室から取り込んだ空気を加熱するヒータと、送風機からヒータに至る風路及び空気を屋外へ排出するための排気口が設けられたケースと、回転軸を鉛直方向に向けてケース内に回動可能に設置されたダンパーとを備える。本発明は、ヒータで加熱した温風を浴室に送風する暖房運転と、浴室から取り込んだ空気を排気口から屋外に排出する換気運転と、浴室への温風の送風及び浴室から取り込んだ空気の屋外への排出を同時に行う乾燥運転とをダンパーの回動によって切り替えることを特徴とする。
【発明の効果】
【０００８】
本発明によれば、浴室乾燥機の製造費用の低減及び構造の簡素化を実現できるという効果を奏する。
【図面の簡単な説明】
【０００９】
【図１】本発明の実施の形態１に係る浴室乾燥機の構成を示す上面図
【図２】実施の形態１に係る浴室乾燥機のダンパーの形状を示す図
【図３】実施の形態１に係る浴室乾燥機のダンパーの斜視図
【図４】実施の形態１に係る浴室乾燥機の暖房運転時のダンパーの位置を示す図
【図５】実施の形態１に係る浴室乾燥機の暖房運転時のダンパーと排気口との位置関係を示す図
【図６】実施の形態１に係る浴室乾燥機の換気運転時のダンパーの位置を示す図
【図７】実施の形態１に係る浴室乾燥機の換気運転時のダンパーと排気口との位置関係を示す図
【図８】実施の形態１に係る浴室乾燥機の乾燥運転時のダンパーの位置を示す図
【図９】実施の形態１に係る浴室乾燥機の乾燥運転時のダンパーと排気口との位置関係を示す図
【発明を実施するための形態】
【００１０】
以下に、本発明の実施の形態に係る浴室乾燥機を図面に基づいて詳細に説明する。なお、この実施の形態によりこの発明が限定されるものではない。
【００１１】
実施の形態１．
図１は、本発明の実施の形態１に係る浴室乾燥機の構成を示す上面図であり、浴室乾燥機を天井面に対して垂直方向から見た図である。なお、図１では浴室乾燥機１０の天面を不図示にして内部を可視化して示している。浴室乾燥機１０は、浴室から空気を取り込む送風機１、浴室から取り込んだ空気を加熱するヒータである電気ヒータ２、運転モードを切り替えるダンパー４、及びダンパー４を駆動するダンパー駆動用アクチュエータ５と、送風機１から電気ヒータ２に至る風路６ａ、浴室から空気を取り込むための空気取り込み口７、電気ヒータ２によって加熱された空気を浴室に戻すための還気口８及び空気を屋外へ排出するための排気口３が設けられたケース６とを備える。排気口３は、送風機１から電気ヒータ２に至る風路６ａの途中に設けられている。ダンパー４は、回転軸を鉛直方向に向けてケース６内に回動可能に設置されており、ダンパー駆動用アクチュエータ５により回転軸周りに回転することで、暖房運転、換気運転及び乾燥運転を切り替える。
【００１２】
図２は、実施の形態１に係る浴室乾燥機のダンパーの形状を示す図である。図３は、実施の形態１に係る浴室乾燥機のダンパーの斜視図である。ダンパー４は、回転軸４１と、回転軸４１と平行で排気口３と同等の大きさの開口４３が設けられた第１の平面部４２ａ、回転軸４１と平行かつ第１の平面部４２ａと非平行な第２の平面部４２ｂ、及び第１の平面部４２ａと第２の平面部４２ｂとを接続する曲面部４２ｃを備えた送風案内板４２と、天面４４と底面４５とで構成されている。回転軸４１と送風案内板４２とは、天面４４及び底面４５によって連結されている。すなわち、天面４４及び底面４５は、送風案内板４２と回転軸４１とを接続する接続部材である。
【００１３】
図４は、実施の形態１に係る浴室乾燥機の暖房運転時のダンパーの位置を示す図である。図４中の矢印は、空気の流れを示している。なお、図４では浴室乾燥機１０の天面を不図示にして内部を可視化して示している。図５は、実施の形態１に係る浴室乾燥機の暖房運転時のダンパーと排気口との位置関係を示す図である。送風機１により空気取り込み口７を通じて浴室から取り込まれた空気は、電気ヒータ２で加熱され、還気口８を通じて温風が浴室に吹き出されることにより暖房運転が行われる。この際、排気口３は、ダンパー４の曲面部４２ｃ及び第２の平面部４２ｂによって遮られ、ダンパー４の曲面部４２ｃは、送風機１から吹き出された空気が電気ヒータ２へ滑らかに到達するように案内する。すなわち、送風案内板４２は、第１の平面部４２ａ、曲面部４２ｃ及び第２の平面部４２ｂの表面に沿って、送風機１から吹き出された空気を電気ヒータ２に案内する。
【００１４】
図６は、実施の形態１に係る浴室乾燥機の換気運転時のダンパーの位置を示す図である。図６中の矢印は、空気の流れを示している。なお、図６では浴室乾燥機１０の天面を不図示にして内部を可視化して示している。図７は、実施の形態１に係る浴室乾燥機の換気運転時のダンパーと排気口との位置関係を示す図である。送風機１により空気取り込み口７を通じて浴室から取り込まれた空気は排気口３から屋外へ排出され、換気運転が行われる。この際、電気ヒータ２への経路はダンパー４の第１の平面部４２ａ、曲面部４２ｃ及び第２の平面部４２ｂによって遮られ、空気取り込み口７を通じて浴室から取り込まれた空気は排気口３と同等の大きさのダンパー４の開口４３を通り、余分な圧力損失を伴わずに排気口３に直線的に排出される。
【００１５】
図８は、実施の形態１に係る浴室乾燥機の乾燥運転時のダンパーの位置を示す図である。図８中の矢印は、空気の流れを示している。なお、図８では浴室乾燥機１０の天面を不図示にして内部を可視化して示している。図９は、実施の形態１に係る浴室乾燥機の乾燥運転時のダンパーと排気口との位置関係を示す図である。乾燥運転時には、開口４３の一部分が排気口３と重なって曲面部４２ｃが排気口３を部分的に覆い、送風機１から吹き出された空気の一部が電気ヒータ２に導かれ、送風機１から吹き出された空気の残りの一部が排気口３を通過する。すなわち、送風機１により空気取り込み口７を通じて浴室から取り込まれた空気は、一部が電気ヒータ２で加熱され、還気口８を通じて温風が浴室に吹き出される。これにより、浴室内の水は水蒸気となって空気中に含まれることが促進される。また、送風機１により空気取り込み口７を通じて浴室から取り込まれた空気の一部は、排気口３から屋外へ排出される。電気ヒータ２で加熱された空気が浴室に戻されて水蒸気を多く含む高湿度の空気となり、送風機１により再び浴室から取り込まれて排気口３から屋外へ排出される。したがって、浴室内の水が蒸発して空気とともに排気口３から屋外へ排出されることにより、浴室は乾燥する。
【００１６】
暖房運転、換気運転及び乾燥運転において、ダンパー４の位置を保持するために、ダンパー４の自重による負荷を支える力を加える必要はない。また、暖房運転、換気運転及び乾燥運転を切り替える際にかかる負荷は底面４５とケース６との間の摩擦力のみである。
【００１７】
また、送風案内板４２の一部分に開口４３を設ける形状としたことで、屋外への空気の排出の妨げとならない。また、送風案内板４２は、回転軸４１の軸方向と直交する方向に回転軸４１から離れているため、送風案内板４２に回転軸４１を設ける場合と比べて、慣性モーメントが大きくなる。これにより、ダンパー４は、送風機１から吹き出された空気を受けても回転軸４１周りに容易には回転しにくい。
【００１８】
実施の形態１に係る浴室乾燥機１０においては、回転軸が天井面に対して垂直になるようにダンパーを搭載することで、ダンパーの駆動時及び保持時に接触部の摩擦を除く自重による負荷がアクチュエータにかからず、アクチュエータの必要トルクが小さくなるため、定格トルクが大きい高価なモーター、及びトルク増大のためのギアが不要であり、製品の製造費用の低減及び構造の簡素化が実現できる。
【００１９】
また、ダンパー４は第１の平面部４２ａと第２の平面部４２ｂとを曲面部４２ｃで繋いだ形状を持ち、第１の平面部４２ａには浴室乾燥機１０の排気口３と同等の大きさの開口４３が形成されている。そして、ダンパー４の送風案内板４２に沿って浴室へ送風し、また浴室の空気を屋外へ排出する際にはダンパー４に設けた開口４３を通して排出することで、暖房運転、換気運転及び乾燥運転において効率的な送風が可能となり、風量の減少及び騒音の増大を防止できる。すなわち、暖房運転時には、送風案内板４２は、第１の平面部４２ａ、曲面部４２ｃ及び第２の平面部４２ｂの表面に沿って、送風機１から吹き出された空気を電気ヒータ２に案内し、換気運転時には、排気口３と同等の大きさの開口４３を通じて浴室から取り込んだ空気を屋外に排出するため、圧力損失の増加を抑えることができる。
【００２０】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２１】
１  送風機、２  電気ヒータ、３  排気口、４  ダンパー、５  ダンパー駆動用アクチュエータ、６  ケース、６ａ  風路、７  空気取り込み口、８  還気口、１０  浴室乾燥機、４１  回転軸、４２  送風案内板、４２ａ  第１の平面部、４２ｂ  第２の平面部、４２ｃ  曲面部、４３  開口、４４  天面、４５  底面。
【図１】
2017116168.tif 000003
【図２】
2017116168.tif 000004
【図３】
2017116168.tif 000005
【図４】
2017116168.tif 000006
【図５】
2017116168.tif 000007
【図６】
2017116168.tif 000008
【図７】
2017116168.tif 000009
【図８】
2017116168.tif 000010
【図９】
2017116168.tif 000011